(57)【特許請求の範囲】
【請求項１】
ａ）２つの相互に対向する側端領域（８）を有するレンズ設備（１）と、
ｂ）前記レンズ設備（１）を担持するフレーム（２）と、
ｃ）前記ゴーグルを着用者のヘッドに、局所的に固定するためのヘッド保持設備（３）と、
ｄ）相互に、前記レンズ設備（１）と、前記フレーム（２）と、前記ヘッド保持設備（３）との、結合、解放可能な接続のための２つの結合設備（４）と、
を有するゴーグルであって、
各結合設備（４）は、
ｉ）前記レンズ設備（１）の前記それぞれの側端領域（８）に隣接して配置される第１結合装置（１１）と、
ｉｉ）前記ヘッド保持設備（３）に配置される第２結合装置（１７）であって、
‐前記それぞれの第１結合装置（１１）を部分的に受容するヘッド保持設備パーツレシーバ（２６）と、
‐保持位置と解放位置との間で旋回可能であり、保持手段（３７）を有する保持体（３３）と、を有し、
‐前記それぞれの結合設備（４）の各第１結合装置（１１）と各保持体（３３）は、前記ゴーグルの組み立て状態で、前記それぞれの保持体（３３）を旋回させるために接合軸（４５）を前もって決定する少なくとも１つの接合凸部（３６）によって、相互に、連結式の接続状態にあり、
‐分解のために操作される前記保持体（３３）の領域は、ゴーグルの内側からのみアクセスできる、第２結合装置（１７）と、
ｉｉｉ）前記フレーム（２）上の前記それぞれの側端領域（８）に隣接して配置される第３結合装置（１８）であって、
‐前記それぞれの第１結合装置（１１）を部分的に受容するフレームパーツレシーバ（２５）を有し、
‐前記それぞれの保持手段（３７）に割り当てられた前記それぞれの保持体（３３）がその保持位置にあるときに、前記それぞれの第２結合装置（１７）と第３結合装置（１８）を共に保持する保持カウンタ手段（４２）を有する、第３結合装置（１８）と、
を有するゴーグル。
【請求項２】
前記ゴーグルの組み立て状態で、前記それぞれの結合設備（４）の前記フレームパーツレシーバ（２５）と前記ヘッド保持設備パーツレシーバ（２６）は、前記それぞれの第１結合装置（１１）を受ける全レシーバを共に形成し、少なくとも部分領域的に又は完全に、この第１結合装置（１１）を、共に、周状に、囲むことを特徴とする、請求項１に記載のゴーグル。
【請求項３】
前記ゴーグルの組み立て状態において、各第１結合装置（１１）が、前記割り当てられた全レシーバと形状に基づく固定状態にある接続を有することを特徴とする、請求項２に記載のゴーグル。
【請求項４】
各第１結合装置（１１）は、前記ゴーグルの中心面（６）に関して、横方向に、外側に突出する保持凸部（２３）を有し、前記保持凸部（２３）は、前記ゴーグルの組み立て状態で、前記第３結合装置（１８）とブロックの方法で、相互に作用し、そして、前記凸部（２３）が、前記それぞれの第３結合装置（１８）から前記ゴーグルの視野方向（５）への前記レンズ設備（１）の分離を防ぐことを特徴とする、請求項１〜３の何れか一項に記載のゴーグル。
【請求項５】
前記それぞれの結合設備（４）の前記保持手段（３７）と前記保持凸部（２３）は、前記ゴーグルの組み立て状態で、前記それぞれの結合設備（４）の中心面（４７）に関して、対向方向に突出することを特徴とする、請求項４に記載のゴーグル。
【請求項６】
各第１結合装置（１１）が角ばっていることを特徴とする、請求項１〜５の何れか一項に記載のゴーグル。
【請求項７】
各第３結合装置（１８）は、前記ゴーグルの視野方向（５）に、貫通開口（４８）を有し、前記貫通開口（４８）を通って、前記第１結合装置（１１）は、前記パーツレシーバ（２５，２６）に導入可能であり、そこから取り外し可能であることを特徴とする、請求項１〜６の何れか一項に記載のゴーグル。
【請求項８】
各保持体（３３）が、前記保持体（３３）の、その解放位置への手動旋回のために、前記それぞれの貫通開口（４８）の前エッジに関して、前記ゴーグルの前記視野方向（５）に突出することを特徴とする、請求項７に記載のゴーグル。
【請求項９】
各保持体（３３）は、弾性保持体として構成され、自由状態で保持位置にあることを特徴とする、請求項１〜８の何れか一項に記載のゴーグル。
【請求項１０】
前記少なくとも１つの接合凸部（３６）は、前記それぞれの保持体（３３）上に配置されることを特徴とする、請求項１〜９の何れか一項に記載のゴーグル。
【請求項１１】
前記ゴーグルの組み立て状態で、各保持手段（３７）は、前記それぞれの第３結合装置（１８）内に受容されていることを特徴とする、請求項１〜１０の何れか一項に記載のゴーグル。
【請求項１２】
各保持手段（３７）は、前記それぞれの保持体（３３）の保持台（３５）に関して、前記第３結合装置（１８）との相互作用のために、前記ヘッド保持設備（３）の隣接して配置される領域に面する保持面（３８）の形成を伴って、突出することを特徴とする、請求項１〜１１の何れか一項に記載のゴーグル。
【請求項１３】
各保持手段（３７）は、前記ゴーグルの中心面（６）に向かって、内側に突出することを特徴とする、請求項１２に記載のゴーグル。
【請求項１４】
各保持カウンタ手段（４２）は、保持カウンタ凸部として構成され、前記保持カウンタ凸部は、前記ゴーグルの組み立て状態で、この保持面（３８）との相互作用のために、割り当てられた前記保持面（３８）に面する保持カウンタ面（４３）を有することを特徴とする、請求項１２又は１３に記載のゴーグル。
【請求項１５】
前記第２結合装置（１７）と前記第１結合装置（１１）は、前記それぞれの保持体（３３）がその保持位置にあるとき、前記ゴーグルの組み立て状態で、前記それぞれの保持手段（３７）の領域に、相互から間隔を開けて延びることを特徴とする、請求項１〜１４の何れか一項に記載のゴーグル。
【請求項１６】
前記ゴーグルの組み立て状態で、前記レンズ設備（１）は、その側端領域（８）で、内側で部分領域的に、前記それぞれの第３結合装置（１８）に当接していることを特徴とする、請求項１〜１５の何れか一項に記載のゴーグル。
【請求項１７】
前記レンズ設備（１）と前記第１結合装置（１１）は、一体的に相互に接続されていることを特徴とする、請求項１〜１６の何れか一項に記載のゴーグル。
【請求項１８】
各接合凸部（３６）は、細長い接合ウェブとして構成されることを特徴とする、請求項１〜１７の何れか一項に記載のゴーグル。
【請求項１９】
前記ゴーグルが、安全作業ゴーグルであることを特徴とする、請求項１〜１８の何れか一項に記載のゴーグル。
【発明の詳細な説明】
【技術分野】
【０００１】
独国特許出願第１０２０１４２０１９６８．０の内容は、参照によって、ここに取り入れられる。
【０００２】
本発明は、ゴーグル、特に安全作業ゴーグルに関する。あるいは、ゴーグルは、例えば、スポーツゴーグルとして構成される。
【背景技術】
【０００３】
マルチパーツゴーグル（multi-part goggle）は、従来技術からすでに公知である。これらの公知のゴーグルの欠点は、たいてい、それらの組み立ては、時間がかかり、複雑であるということである。一般的に、ゴーグルの個々の部品の間に、接続ポイントを、非常に安定して、堅固にすることは必要である。
【０００４】
特許文献１に開示されるゴーグルは、フレームと、２つのレンズ組立部品と、ストラップとを有する。フレームは、外側切欠きと内側戻り止め（detent）を有する側部クリップを含む。第１レンズ組立部品は、外側戻り止め及び内側切欠きを有する側タブを有する。 第１レンズ組立部品は、その側タブをクリップに挿入することによって、少なくとも１つの切欠きが、それぞれの内側戻り止めに係合するまで、フレームに固定される。それぞれの切欠きを選択することによって、第１レンズ組立部品は、フレームに関して、さまざまな位置に、配置可能である。第２レンズ組立部品は、戻り止め及び内側切欠きを有する側タブを含む。第２レンズ組立部品の側タブは、第１レンズ組立部品の側タブを介してクリップに挿入される。第２レンズ組立部品の内側切欠きは、第１レンズ組立部品の戻り止めの１つに係合する。第１及び第２レンズ組立部品は、ストラップのクリップによって、フレームに固定される。ストラップのクリップは、１つのレンズだけが使用される場合、第１組立部品の側タブを介して、又は両方のレンズが使用される場合、第２レンズ組立部品の側タブを介して、フレームのクリップの中に挿入される。
【０００５】
特許文献２から公知のレンズ組立部品は、レンズと、堅いフレームと、弾性フレームと、端部に配置されるバックルを有するストラップと、を含む。レンズは、突起部を有する横方向に突出するタブを有する。その両側上に、堅いフレームは、いずれの場合にも、１つの外側切欠きを有する。弾性フレームは、いずれの場合にも、その両側のそれぞれに、１つの貫通孔を有する。各バックルは、係合部材と開口を有する。係合部材は、貫通孔に挿入され、一方、開口は、突起部によって貫通される。
【０００６】
特許文献３は、フレームと、パッドと、レンズと、接続部と、締結部と、ストラップと、を含む水泳ゴーグルを開示する。サイドカバーは、２つのフレームパーツ上に配置される締結パーツを囲む。調整部は、それぞれの締結パーツに接続可能である。ストラップは、調整部に固定される。
【０００７】
データ伝送ユニット、単眼鏡、レンズ、又はイヤーピース（earpiece）のような異なった装置が留められるさまざまなマスクは、例えば、特許文献４から公知である。
【０００８】
特許文献５は、レンズ、フレーム及びヘッドバンドを有する安全ゴーグルを開示する。
【先行技術文献】
【特許文献】
【０００９】
【特許文献１】米国特許出願公開第２００３／００１９０１８号明細書
【特許文献２】米国特許出願公開第２００９／０２２２９７９号明細書
【特許文献３】米国特許出願公開第２００７／００２８３７１号明細書
【特許文献４】米国特許第８，６０１，６１７号明細書
【特許文献５】米国特許第７，８８２，５７５号明細書
【発明の概要】
【発明が解決しようとする課題】
【００１０】
本発明は、したがって、容易に、組み立てられ及び／又は分解されるマルチパートゴーグルを提供することの目的に基づく。さらに、ゴーグルは、特に、大きな機械的応力に耐えることもでき、それは、特に、個々の部品の間の接続ポイントに適用もする。さらに、ゴーグルは、好ましくは、繊細な外観も有し、視覚的に魅力的でもあるべきである。
【課題を解決するための手段】
【００１１】
この目的は、ゴーグルが、独立請求項１に開示された特徴を有することによって、本発明にしたがって達成される。本発明の核心は、ゴーグルが、レンズ設備（lens arrangement）、フレーム、及びヘッド保持設備（head holding arrangement）の結合、解放可能な接続のためのさまざまな結合装置を含むということである。レンズ設備に配置されるいずれの場合にも、フレーム及びヘッド保持設備は、結合装置であり、それは、フレーム及びヘッド保持設備を結合するために、結合設備（coupling arrangement）を形成する。ゴーグルの組み立て状態では、それぞれの結合設備の第２結合装置と第３結合装置は、結合の方法で、関連した保持手段及び保持カウンタ手段（holding counter-mean）によって、相互に接続される。第１結合装置は、それぞれの第２結合装置及び第３結合装置への結合接続を有する。
【００１２】
分解のために作動する保持体の突出する領域は、ゴーグルの内側からのみアクセスできる。これは、例えば、外側からゴーグルに影響を及ぼす外部体（extraneous body）によって、ゴーグルの故意でない分解が、このように回避されるように、特に、安全のために、使用される。
【００１３】
少なくとも１つの接合凸部は、好ましくは、細長い接合ウェブとして、構成される。あるいは又は追加的に、接合凸部は、例えば、それぞれの第１結合装置に配置される。
【００１４】
レンズ設備、フレーム及びヘッド保持部材が、それらが組み立てられる前に、分離した又は分離された、ゴーグルの部品又はパーツである場合、有利である。このようにして、それらは、容易に交換される。
【００１５】
レンズ設備が単一の、連続した一体のレンズである場合、好都合である。あるいは、２つの個々のレンズが、存在し、それらが、例えば、ブリッジ、ノーズウェブ（nose web）、又は同類のものによって、相互に接続される。レンズ設備は、好ましくは、略寸法的に安定している。
【００１６】
フレームは、有利には、周状に閉じられている。フレームは、好ましくは、少なくともパーツに沿って、延び、好ましくは、少なくとも、レンズ設備の周囲の大きなパーツに沿って延びる。フレームは、好ましくは、着用者の顔にしっかりと当接するための少なくとも１つのシーリングエレメントを担持する。少なくとも１つのシーリングエレメントは、好ましくは、柔らかく、又は曲がりやすい。
【００１７】
ヘッド保持設備は、有利には、ヘッド保持バンドとして構成され、それは、使用中、着用者のヘッドの後部周辺に延びる。ヘッド保持バンドは、好ましくは、弾力性がある。あるいは、ヘッド保持設備は、例えば、２つのゴーグルアームからなるアーム設備として構成される。ゴーグルアームが、公知の方法で、外側及び内側に折り曲げられる場合、有利である。
【００１８】
第１結合装置は、いずれの場合にも、一体で構成され、プラスチック材料から形成される場合、有利である。
【００１９】
第２結合装置は、いずれの場合にも、有利には、一体で構成され、プラスチック材料から形成される。ヘッド保持設備が、ヘッド保持バンドとして構成される場合、ヘッド保持バンドは、好ましくは、各第２結合装置を通って案内され、ループの方法で、そこに構成され、それぞれの第２結合装置を局所的に固定する。ヘッド保持バンドと第２結合装置の間の他の締め具は、その代わりに可能である。
【００２０】
第３結合装置は、好ましくは、一体で形成され、プラスチック材料で作られる。第３結合装置は、有利には、いずれの場合にも、フレームを有する一体で構成される。
【００２１】
ゴーグルが、中心面、又は対称面に関して対称である場合、有利である。
【００２２】
保持体は、好ましくは、それぞれのパーツレシーバを、ゴーグルの中心面に向かって閉じる。保持体は、１つ又はそれ以上の保持手段を有してもよい。
【００２３】
本発明のさらに有利な構成は、サブクレームに与えられる。
【００２４】
サブクレーム２に係る構成は、それぞれの結合設備の第２結合装置及び第３結合装置に関して、第１結合装置の、非常にロード可能（装着可能）でしっかりした局所的な固定に導く。それぞれの結合設備の第２結合装置及び第３結合装置は、ゴーグルの組み立て状態で、相互に関して、略移動不可能である。
【００２５】
サブクレーム３に係る保持凸部は、好ましくは、バーを形成する。それは、有利には、ウェブのようである。保持凸部は、ゴーグルの組み立て状態において、好ましくは、それぞれのパーツレシーバ内に設置される。保持凸部は、好ましくは、ゴーグルの組み立て状態において、隣接した第３結合装置に関して、横方向に、外側に、突出しない。特に、保持凸部は、ゴーグルの組み立て状態において、第３結合装置の仮想外側横限界面（imaginary outer lateral limiting face）にわたって突出しない。保持凸部は、ゴーグルの組み立て状態において、好ましくは、第３結合装置の仮想外側横限界面のわずかに下方に、ちょうど終わらせる。
【００２６】
サブクレーム４によれば、それぞれの結合設備の保持凸部及び保持手段は、ゴーグルの組み立て状態において、それぞれの結合設備の中心面に関して対向方向（反対方向）に突出する。それぞれの結合設備の保持凸部及び保持手段が、ゴーグルの視野方向において、相互に関して、オフセットされて配置される場合、有利である。
【００２７】
サブクレーム５に係る構成は、特に、それぞれの結合設備の第１結合装置に関して、第２結合装置又は第３結合装置の傾斜を回避する。第１結合装置の角張る（矩形）構成は、特に、ゴーグルの中心面に平行な面に、備えられる。この平面において、第１結合装置は、特に、角張る（矩形）横断面又は輪郭を有し、角は、好ましくは、丸められる。矩形構成の代わりに、第１結合装置は、しかしながら、台形、三角形、五角形、六角形、又は同類のものであり、対応する横断面又は輪郭を有してもよい。あるいは、第１結合装置は、特に、楕円形、長円形、卵形又は同類のものであり、対応する横断面又は輪郭を有してもよい。第１結合装置は、その結果したがって、好ましくは、非真円である。同様に、第１結合装置は、しかしながら、例えば、丸められ、対応する横断面又は輪郭を有してもよい。前記異なった構成の組み合わせも、可能である。
【００２８】
フレームパーツレシーバ（frame part receiver)及びヘッド保持設備パーツレシーバ（head holding arrangement part receiver)が、好ましくは、いずれの場合にも、第１結合装置とそれぞれの全（総合的）レシーバとの間の形状に基づく固定状態にある接続を可能とするために、いずれの場合においても、それぞれの第１結合装置の形又は輪郭に適用される場合、有利である。したがって、第１結合装置が、いずれの場合にも、丸められる場合、ヘッド保持設備パーツレシーバ及びフレームパーツレシーバは、好ましくは、いずれの場合にも、円形状、好ましくは、半円形状の部分である。
【００２９】
サブクレーム６に開示される貫通開口（through-opening）も、事実上、組み立て又は分解開口を形成する。
【００３０】
サブクレーム６に係る保持体の構成は、特に、それぞれの保持体の滑らかな旋回（枢動）を可能にする。貫通開口に関して突出する保持体の領域が、手によって容易に到達される場合、有利である。
【００３１】
サブクレーム７に係る構成は、非常に、操作上安全又は機能上安全である結合設備に導く。保持体は、特に、ゴーグルの組み立て状態で、それが、その保持位置に自動的に急に動くような方法で、構成される。それぞれの保持体を、その保持位置から、その解放位置に移動させるために、対応する調整力は、特に、バネ力と逆に、保持体に適用される。
【００３２】
それぞれの第３結合装置において、サブクレーム９に係るそれぞれの保持手段の内側設備は、対応する保持手段の非常に保護された設備に導く。それは、特に、この方法で、機械的応力から保護される。関連した保持カウンタ手段も、それぞれの第３結合装置で、内側に、保護されて配置される場合、有利である。
【００３３】
特に、サブクレーム１０に係る保持面は、細長い。これは、有利には、ゴーグルの対称面に関して、垂直に又は斜めに延びる面にある。
【００３４】
サブクレーム１１に係る保持カウンタ面（holding counter-face）は、ゴーグルの組み立て状態において、関連した保持面に隣接して延び、その結果、好ましくは、そこに平坦に置かれる。
【００３５】
サブクレーム１２に係る構成は、第１結合装置に向かって、それぞれの保持体の旋回を可能にし、第１結合装置は、保持体の解放位置に到達するために、この領域に、隣接して配置され、特に、間隔を開けて配置される。
【００３６】
サブクレーム１３に係る構成は、非常に機能上安全及び操作上安全な結合設備に導く。レンズ設備及び第３結合装置は、したがって、相互に関して固定される。
【００３７】
サブクレーム１４に係る構成は、第１結合装置とレンズ設備の間の非常に安全又は耐紛失の接続を可能にする。このタイプのゴーグルは、非常に組み立て信頼性のある方法及び経済的な方法で生産され得る。
【００３８】
本発明の２つの好ましい実施形態は、添付の図面を参照して、例の目的で、以下に記載される。
【図面の簡単な説明】
【００３９】
【図１】第１実施形態に係る本発明に係るゴーグルの分解図を示す。
【図２】組み立てられ又は取り付けられた状態で、図１に示されるゴーグルを示す図を示す。
【図３】図２で描かれた組み立てられたゴーグルからの断面を示す。
【図４】図２，３に示された組み立てられたゴーグルの切断図を示す。
【図５】第２実施形態に係る組み立てられた状態で、本発明に係るゴーグルの斜視図を示す。
【図６】図５にしめされた組み立てられたゴーグルの断面図を示す。
【発明を実施するための形態】
【００４０】
先ず、図１〜４に示された第１実施形態を参照すると、ゴーグルは、レンズ設備１とフレーム２及びヘッド保持設備３を有する。レンズ設備１、フレーム２及びヘッド保持設備３は、組み立てられ、ゴーグルを形成し、再度、相互から分離もされる。２つの結合設備４は、このために備えられ、横方向に配置され、構造的に一致している。
【００４１】
ゴーグルは、正しく着用されるとき、これらは、着用者の目の前に置かれ、それらを覆う。したがって、ゴーグルは、視野方向５を有する。ゴーグルは、視野方向５に広がり、結合設備４の間で、中心に、延びる中心面又は対称面６に関して対称である。
【００４２】
レンズ設備１は、単一の連続したレンズ７からなり、相互に対向する２つの側端領域（side end region）８を有する。側端領域８の間に、レンズ設備１は、着用者の鼻を受けるために、底で開口する鼻凹部９を有する。接続ウェブ１０は、レンズ７に隣接し、全レンズ７の周囲に、又はそのエッジ領域に沿って、延び、視野方向５と逆に、レンズ７から突出する。ゴーグルの組み立て状態で、接続ウェブ１０は、例えば、ラッチの方法（latching manner）で、フレーム２に係合する。
【００４３】
第１結合装置１１は、レンズ設備１の各側端領域８に隣接し、略タブの方法で、構成され、視野方向５と逆に、レンズ設備１から突出する。
【００４４】
フレーム２は、周状に閉じられ、基本形を有し、それは、原則として、レンズ設備１の基本形に対応する。したがって、それは、２つの相互に対向する側端領域１４と、それらの間で、中心に、配置され、底で開口する、１つの鼻凹部１５と、を有する。フレーム２は、視野方向５に、寸法的に安定している前フレームパーツ１２と、柔軟で、曲がりやすく、使用中、着用者の顔に、略しっかりと当接する後シーリングエレメント１３と、から略形成される。
【００４５】
ヘッド保持設備３は、ヘッドバンドとして構成され、ヘッドバンドは、２つの相互に対向する端領域１６を有する。
【００４６】
第２結合装置１７は、ヘッドバンドの各端領域１６に留められる。第２結合設備１７は、ヘッドバンドの端ループ（end loop）で、そこに配置される。さらに、第３結合装置１８は、フレーム２の各側端領域１４に配置される。第３結合装置１８は、フレーム２に堅く接続される。
【００４７】
結合装置１１，１７，１８は、ゴーグルの組み立て状態で、それぞれの結合設備４の形成（formation）を伴って、相互間の形状に基づく固定状態にある接続を有する。結合設備４は、構造的に一致しているので、１つの結合設備４だけが、主に、以下で扱われる。
【００４８】
第１結合装置１１は、いずれの場合にも、細長い接続ポイント１９によって、レンズ設備１のそれぞれの側端領域８に隣接する。それぞれの接続ポイント１９に対向して、各第１結合装置１１は、自由な後支持エッジ２０を有する。上支持エッジ２１と下支持エッジ２２は、接続ポイント１９と後支持エッジ２０との間で、各第１結合装置１１に延びる。それぞれの第１結合装置１１の上支持エッジ２１と下支持エッジ２２は、相互に略平行に、関連した後支持エッジ２０又は接続ポイント１９に略垂直に延びる。
【００４９】
接続ポイント１９に隣接して、各第１結合装置１１は、保持凸部２３を有し、それは、それぞれの接続ポイント１９に平行に延びる。保持凸部２３は、いずれの場合にも、対称面６に関して、バーの方法によって、横方向に、外側に突出する。各保持凸部２３は、バー面２４を有し、それは、視野方向５又は前方に、面する。
【００５０】
第１結合装置１１は、ゴーグルの組み立て状態で、いずれの場合にも、それぞれの結合設備４の第３結合装置１８又は第２結合装置１７のパーツレシーバ２５，２６に、据え付けられる。結合設備４のパーツレシーバ２５，２６は、全（総合的）レシーバを共に形成する。全レシーバ又はパーツレシーバ２５，２６は、いずれの場合でも、横方向に、外側に、対称面６に関して開口する。パーツレシーバ２５は、いずれの場合にも、第３結合装置１８の部品であり、一方、パーツレシーバ２６は、いずれの場合にも、第２結合装置１７の部品である。
【００５１】
各パーツレシーバ２５は、視野方向５で前制限エッジ２７、上制限パーツエッジ２８及び下制限パーツエッジ２９によって、制限される。前制限エッジ２９に関して、各パーツレシーバ２５は、視野方向５と逆に開口している。それぞれのパーツレシーバ２５の下制限パーツエッジ２９及び上制限パーツエッジ２８は、相互に略平行に、前制限エッジ２７に略垂直に延びる。
【００５２】
各パーツレシーバ２６は、視野方向５で後制限エッジ３０、上制限パーツエッジ３１及び下制限パーツエッジ３２によって、制限される。後制限エッジ３０に関して、各パーツレシーバ２６は、視野方向５に開口している。それぞれのパーツレシーバ２６の上制限パーツエッジ３１及び下制限パーツエッジ３２は、相互に略平行に、後制限エッジ３０に略垂直に、延びる。
【００５３】
それぞれの結合設備４の上制限パーツエッジ２８，３１は、ゴーグルの組み立て状態で、相互に整列し、上制限エッジを共に形成する。同様に、それぞれの結合設備４の下制限パーツエッジ２９，３２は、ゴーグルの組み立て状態で、相互に整列し、下制限エッジを共に形成する。
【００５４】
それぞれの結合設備４の前制限エッジ２７及び後制限エッジ３０は、相互に略平行に延び、視野方向５に、相互から間隔を開けて配置される。
【００５５】
それぞれの結合設備４のパーツレシーバ２５，２６は、いずれの場合でも、タブのようなものであり、第２結合装置１７の部品である保持体３３によって、対称面６に向かって、内部に制限される。各保持体３３は、それぞれの後制限エッジ３０の形成を伴って、第２結合装置１７の外側面３４に関して、内部にオフセットされ、視野方向５にそこから突出する。各保持体３３は、プレートのような保持台３５及び接合凸部３６を有し、接合凸部３６は、保持台３５から突出し、それぞれの後制限エッジ３０に隣接して配置され、それに略平行に延びる。各接合凸部３６は、対称面６に関して、処理テーパ（process taper）で、関連した保持台３５から外側に突出する。接合凸部３６は、ウェブのようなものである。
【００５６】
さらに、各保持体３３は、保持手段３７を有し、保持手段３７は、結合設備４のそれぞれの接合凸部３６に略平行に延び、それぞれの保持面３８の形成を伴って、対称面６に向かって、それぞれの保持台３５から内側に突出する。各保持手段３７が、傾斜路のようなものであり、視野方向５と逆に起立する場合、組み立て理由のために有利である。保持手段３７は、それぞれの保持体３３の自由端３９に隣接して、しかし間隔を開けて配置される。それぞれの結合設備４の接合凸部３６及び保持手段３７は、したがって、それぞれの保持台３５から相互に対向方向に突出する。
【００５７】
各第３結合装置１８は、外側パーツ４０と、それに隣接して、しかし、そこから間隔を開けて配置される内側パーツ４１とを有する。外側パーツ４０及び内側パーツ４１は、フレーム２に、対応して構成され、又は配置される。パーツレシーバ２５は、外側パーツ４０に配置される。
【００５８】
関連した外側パーツ４０に向かって、内側パーツ４１から外側に突出するカウンタ凸部４４によって形成される保持カウンタ面４３を有する保持カウンタ手段４２は、各内側パーツ４１に配置される。
【００５９】
各第３結合装置は、貫通開口４８を有し、貫通開口４８は、それぞれの外側パーツ４０及び内側パーツ４１によって、横方向に制限される。貫通開口４８は、それぞれのパーツレシーバ２５に隣接し、視野方向５に開口している。
【００６０】
ゴーグルの組み立て状態において、第１結合装置１１の下支持エッジ２２は、少なくとも領域において（in regions）、全レシーバの下制限エッジ上に当接し、一方、第１結合装置１１の上支持エッジ２１は、少なくとも領域において、全レシーバの上制限エッジ上に当接する。さらに、後支持エッジ２０は、少なくとも領域において、後制限エッジ３０上に当接する。保持凸部２３は、いずれの場合でも、少なくとも領域において、前制限エッジ２７上に当接する。特に、バー面２４は、ロックの方法で、少なくとも領域において、前制限エッジ２７上に当接する。接合凸部３６は、接合軸（joint axes）４５の形成を伴って、第１結合装置１１上に、内側に、当接する。保持手段３７は、関連した保持カウンタ手段４２と接続され、又は接触する。特に、保持面３８は、少なくとも領域において、それぞれの結合設備４の保持カウンタ面４３上に、平坦に当接する。
【００６１】
各接合軸４５は、好ましくは、それぞれの結合設備４の略中心面４７に、又はそこに平行に延びる。各接合軸４５は、対称面６に略平行に延びる。各接合軸４５は、視野方向５に略垂直に延びる。
【００６２】
第２結合装置１７及び第３結合装置１８に受けられる第１結合装置１１により、第３結合装置１８上に当接する保持凸部２３により、第１結合装置１１は、それぞれの結合設備４の第２結合装置１７及び第３結合装置１８に関して、局所的に固定される。それぞれの結合設備４の保持手段３７と保持カウンタ手段４２との間のロック相互作用（locking interaction）により、それぞれの結合設備４の第２結合装置１７及び第３結合装置１８は、相互に関して、固定される。保持体３３は、したがって、それらの保持位置にある。
【００６３】
ゴーグルの組み立ては、以下に記載される。先ず、第２結合装置１７は、視野方向５で、第３結合装置１８に挿入される。次に、保持手段３７が、それぞれの保持カウンタ手段４２と相互に作用するとき、保持体３３は、それらの保持位置に、外側に急に働く。次に、第１結合装置１１は、第１結合装置１１が、それぞれの結合設備４の全レシーバに設置されるような方法で、第３結合装置１８又は貫通開口４８によって、視野方向５と逆に、接合される。
【００６４】
あるいは、先ず、第１結合装置１１は、第３結合装置１８によって、視野方向５と逆に、それぞれの結合設備４のパーツレシーバ２５に、挿入される。次に、第２結合装置１７は、第３結合装置１８とのラッチ接続（latching connection）にもたらされる。
【００６５】
ゴーグルを分解するために、保持体３３は、横方向に、外側に、それらの外側解放位置に、それらの自由端３９に対応する旋回力（pivoting force）を適用することによって、旋回され、それにより、保持手段３７と、関連した保持カウンタ手段４２との間のラッチ接続は、解放され、それぞれの結合設備４の第２結合装置１７と第３結合装置１８の分離は、可能となる。次に、第１結合装置１１は、第３結合装置１８から外へ案内される。
【００６６】
第２実施形態は、図５，６を参照して、以下に記載される。先の実施形態と対照的に、参照がなされる記載に、ヘッド保持設備３は、２つのゴーグルアームによって形成され、それらは、ヒンジ設備４６によって、内側及び外側に折り曲げられる。他の部分は、違いがない。
【符号の説明】
【００６７】
１  レンズ設備
２  フレーム
３  ヘッド保持設備
４  結合設備
５  視野方向
８  側端領域
１１  第１結合装置
１７  第２結合装置
１８  第３結合装置
２３  保持凸部
２５  フレームパーツレシーバ
２６  ヘッド保持設備パーツレシーバ
３３  保持体
３５  保持台
３６  接合凸部
３７  保持手段
３８  保持面
４２  保持カウンタ手段
４３  保持カウンタ面
４５  接合軸
４７  中心面
４８  貫通開口
【図１】
0006442516.tif 000002
【図２】
0006442516.tif 000003
【図３】
0006442516.tif 000004
【図４】
0006442516.tif 000005
【図５】
0006442516.tif 000006
【図６】
0006442516.tif 000007